(57)【要約】【課題】正しい操作を誘導させることが可能な携帯機器、入力支援方法および入力支援プログラムを提供することを可能とする。【解決手段】ボタンを点灯させる点灯手段と、画面状態を遷移させる遷移手段と、前記遷移手段の制御および画面状態遷移の検出を行う画面状態制御手段と、ボタン点灯色情報を設定する点灯色設定手段と、前記点灯手段を制御する点灯制御手段とを有し、前記点灯制御手段は、前記画面状態遷移手段による前記検出が行われた際に、前記点灯色設定手段で設定した前記ボタンの点灯色を前記点灯手段に点灯させるように制御する。【選択図】図２
2009118384.tif 000002
【特許請求の範囲】
【請求項１】
ボタンを点灯させる点灯手段と、
画面状態を遷移させる遷移手段と、
前記遷移手段の制御および画面状態遷移の検出を行う画面状態制御手段と、
ボタン点灯色情報を設定する点灯色設定手段と、
前記点灯手段を制御する点灯制御手段とを有し、
前記点灯制御手段は、前記画面状態遷移手段による前記検出が行われた際に、前記点灯色設定手段で設定した前記ボタンの点灯色を前記点灯手段に点灯させるように制御することを特徴とする携帯機器。
【請求項２】
画面状態と、ボタン操作可能情報との対応表を格納するボタン操作対応情報記憶手段と、
格納されている前記対応表と、格納されている前記画面状態の情報とを基にボタン操作可能情報を設定するボタン操作情報設定手段とをさらに有することを特徴とする請求項１に記載の携帯機器。
【請求項３】
前記ボタン操作可能情報とは、長押し、短押し、および、長押し／短押し、含むことを特徴とする請求項２に記載の携帯機器。
【請求項４】
前記ボタン操作可能情報とは、戻る、進む、および、戻る／進む、を含むことを特徴とする請求項２に記載の携帯機器。
【請求項５】
前記ボタン操作可能情報とは、終了、開始、および、終了／開始、を含むことを特徴とする請求項２に記載の携帯機器。
【請求項６】
ボタン押下がされたか否かを検出する検出手段と、
前記画面状態を情報として格納する画面状態情報記憶手段とをさらに有し、
前記画面状態制御手段は、前記検出手段で前記ボタンの押下を検出した際に、前記画面状態情報記憶手段に記憶されている前記画面状態情報に基づき、前記遷移手段に画面状態の遷移を行うよう制御することを特徴とする請求項１から５のいずれか１項に記載の携帯機器。
【請求項７】
画面状態を遷移する遷移工程と、
画面状態遷移の制御および画面状態遷移の検出を行う画面状態制御工程と、
ボタン点灯色情報を設定する点灯色設定工程と、
ボタンの点灯を制御する点灯制御工程とを有し、
前記点灯制御工程は、前記画面状態遷移工程による前記検出が行われた際に、前記点灯色設定工程で設定した前記ボタンの点灯色を点灯する工程であることを特徴とする入力支援方法。
【請求項８】
画面状態と、ボタン操作可能情報との対応表を格納するボタン操作対応情報記憶工程と、
格納されている前記対応表と、格納されている前記画面状態の情報とを基にボタン操作可能情報を設定するボタン操作情報設定工程とをさらに有することを特徴とする請求項７に記載の入力支援方法。
【請求項９】
前記ボタン操作可能情報とは、長押し、短押し、および、長押し／短押し、を含むことを特徴とする請求項８に記載の入力支援方法。
【請求項１０】
前記ボタン操作可能情報とは、戻る、進む、および、戻る／進む、を含むことを特徴とする請求項８に記載の入力支援方法。
【請求項１１】
前記ボタン操作可能情報とは、終了、開始、および、終了／開始、を含むことを特徴とする請求項８に記載の入力支援方法。
【請求項１２】
点灯手段に対してボタンを点灯させる処理と、
遷移手段に対して画面状態を遷移させる処理と、
画面状態制御手段に対して前記遷移手段の制御および画面状態遷移の検出を行わせる処理と、
点灯色設定手段に対してボタン点灯色情報を設定させる処理と、
点灯制御手段に対して前記画面状態遷移手段による前記検出が行われた際に、前記点灯色設定手段で設定した前記ボタンの点灯色を前記点灯手段に点灯するように制御させる処理とを携帯機器に実行させることを特徴とする入力支援プログラム。
【請求項１３】
画面状態と、ボタン操作可能情報との対応表を格納するボタン操作対応情報記憶処理と、
格納されている前記対応表と、格納されている前記画面状態の情報とを基にボタン操作可能情報を設定するボタン操作情報設定処理とをさらに携帯機器に実行させることを特徴とする請求項１２に記載の入力支援プログラム。
【請求項１４】
前記ボタン操作可能情報とは、長押し、短押し、および、長押し／短押し、を含むことを特徴とする請求項１３に記載の入力支援プログラム。
【請求項１５】
前記ボタン操作可能情報とは、戻る、進む、および、戻る／進む、を含むことを特徴とする請求項１３に記載の入力支援プログラム。
【請求項１６】
前記ボタン操作可能情報とは、終了、開始、および、終了／開始、を含むことを特徴とする請求項１３に記載の入力支援プログラム。
【発明の詳細な説明】
【技術分野】
【０００１】
ボタンの光点灯による長押しと短押しの入力を支援する携帯機器、入力支援方法および入力支援プログラムに関する。
【背景技術】
【０００２】
最近の携帯電話は、ボタンの長押し・短押しを判別し、別個の機能を起動するものが少なくない一方で、どのボタンが長押し・短押し可能な状態であるかが使用者に分かりづらく、携帯電話の操作を難しくしている要因の一つとなっている。
【０００３】
長押し・短押しが可能であることを使用者に知らせるために、ボタン本体や周辺に何らかの記号や文字を印字している携帯電話が存在するが、その記号や文字の意味が使用者に必ずしも理解されているとは限らない。
【０００４】
上述した背景に関連する技術を次に記載する。
【０００５】
ボタンを短押し、長押ししたかに応じて、点灯方法および点灯色を変更させることで操作した状態を確認することが特許文献１には、開示されている。
【特許文献１】特開２００６−３１１５８３号公報
【発明の開示】
【発明が解決しようとする課題】
【０００６】
しかし、上述した特許文献１では、ボタン操作方法をユーザによって事前に知らせて識別させるという機能を有していないため、利便性の面で課題が残る。
【０００７】
本発明は、上述したボタン操作方法を事前にユーザに知らせることができないという課題を解決するために、携帯電話が起動している機能や画面に応じて、ボタンを色分けして光点灯させる携帯機器、入力支援方法および入力支援プログラムを提供することを目的とする。
【課題を解決するための手段】
【０００８】
本発明にかかる第１の携帯機器は、ボタンを点灯させる点灯手段と、画面状態を遷移させる遷移手段と、前記遷移手段の制御および画面状態遷移の検出を行う画面状態制御手段と、ボタン点灯色情報を設定する点灯色設定手段と、前記点灯手段を制御する点灯制御手段とを有し、前記点灯制御手段は、前記画面状態遷移手段による前記検出が行われた際に、前記点灯色設定手段で設定した前記ボタンの点灯色を前記点灯手段に点灯させるように制御することを特徴とする。
【０００９】
本発明にかかる第１の入力支援方法は、画面状態を遷移する遷移工程と、画面状態遷移の制御および画面状態遷移の検出を行う画面状態制御工程と、ボタン点灯色情報を設定する点灯色設定工程と、ボタンの点灯を制御する点灯制御工程とを有し、前記点灯制御工程は、前記画面状態遷移工程による前記検出が行われた際に、前記点灯色設定工程で設定した前記ボタンの点灯色を点灯する工程であることを特徴とする。
【００１０】
本発明にかかる第１の入力支援プログラムは、点灯手段に対してボタンを点灯させる処理と、遷移手段に対して画面状態を遷移させる処理と、画面状態制御手段に対して前記遷移手段の制御および画面状態遷移の検出を行わせる処理と、点灯色設定手段に対してボタン点灯色情報を設定させる処理と、点灯制御手段に対して前記画面状態遷移手段による前記検出が行われた際に、前記点灯色設定手段で設定した前記ボタンの点灯色を前記点灯手段に点灯するように制御させる処理とを携帯機器に実行させることを特徴とする。
【発明の効果】
【００１１】
本発明は、正しい操作を誘導させることが可能な携帯機器、入力支援方法および入力支援プログラムを提供することを可能とする。
【発明を実施するための最良の形態】
【００１２】
本発明にかかる携帯機器は、以下を実現する。
【００１３】
携帯機器のボタン操作において、長押しまたは短押し、もしくはその両方の操作が可能な状態になったときに、使用者に対して、ボタン自体の光点灯について発色を変えることによって、ボタンに対して可能な操作の種類を伝えることにより、携帯電話の操作性を向上させるだけでなく、操作経験のない使用者に対して、正しい操作を誘導させる。
【００１４】
（第１の実施形態）
上記にかかる携帯機器において、実施を行う実施の形態について次に説明する。
本実施形態では、携帯機器に携帯電話を適用する。
なお、次に説明する実施の形態は、上記にかかる携帯電話を好適もしくは、最善に実施する実施の形態であり、これに限定されることはなく、当業者が容易に想到できる範囲内において、変形、修正可能とする。
【００１５】
本実施形態にかかる携帯電話の概要について図１を用いて次に説明する。
図１は、本発明にかかる携帯電話の概要を示す図である。
【００１６】
図１に示すように、本実施形態にかかる携帯電話には、ボタン(名称：ボタン１)が一個搭載されているものとする。
【００１７】
本実施形態にかかる携帯電話は、以下のボタン１の操作により画面状態が遷移する仕様とする。
【００１８】
また、本実施形態にかかる携帯電話は、図１に示すように、Ｘ、Ｙ、Ｚの３つ画面状態から成る。
【００１９】
初期画面状態はＸとする。
（１）画面状態Ｘにおいて、ボタン１を短押しすると遷移手段により、画面状態Ｙに遷移する。
（２）画面状態Ｘにおいて、ボタン１を長押しすると遷移手段により、画面状態Ｚに遷移する。
（３）画面状態Ｙにおいて、ボタン１を短押しすると遷移手段により、画面状態Ｚに遷移する。
（４）画面状態Ｚにおいて、ボタン１を長押しすると遷移手段により、画面状態Ｘに遷移する。
【００２０】
上記の携帯電話において、ボタン１を下記条件に従い光点灯させる。
（１）ボタン１が長押しのみの操作が可能な場合、ボタン１は色Ａに光点灯する。
（２）ボタン１が短押しのみの操作が可能な場合、ボタン１は色Ｂに光点灯する。
（３）ボタン１が長押し・短押し両方の操作が可能な場合、ボタン１は色Ｃに光点灯する。
【００２１】
上記の動作により、携帯電話の画面状態に応じて、ボタン１が長押しのみ、短押しのみ、長押し・短押し両方、のいずれの操作を受け付けるかを使用者へ知らせる。
【００２２】
上述した機能を実現する機構について次に図２、図３および図４を用いて説明する。
図２は、本発明にかかる携帯電話器の構成の一例を示す図である。
図３は、本発明にかかる携帯電話器の画面状態と、ボタン操作可能情報との対応関係を示す図である。
図４は、本発明にかかる携帯電話器のボタン操作可能情報と、ボタン点灯色との対応関係を示す図である。
【００２３】
本実施形態にかかる携帯電話器は、ボタン１、ボタン押下監視機構２、画面状態制御機構３、ボタン操作情報設定機構４、ボタン点灯色設定機構５、ボタン光点灯制御機構６、ボタンライト７、画面状態情報記憶部８、ボタン操作対応情報記憶部９、ボタン操作可能情報記憶部１０、ボタン点灯色対応情報記憶部１１およびボタン点灯色情報記憶部１２を有する。
【００２４】
ボタン１は、携帯機器に搭載されているボタンであり、本実施形態では、携帯電話に搭載されているボタンである。
【００２５】
ボタン押下監視機構２は、ボタン１の押下を監視する。
【００２６】
画面状態制御機構３は、ボタン押下監視機構２からの通知を受け、図１に示した画面状態遷移に基づいて、画面状態情報記憶部８に現在の画面状態を格納する。
【００２７】
ボタン操作情報設定機構４は、画面状態情報記憶部８から画面状態情報を、ボタン操作対応情報記憶部９からボタン操作対応情報をそれぞれ読み出し、両情報を元にボタン操作可能情報をボタン操作可能情報記憶部１０に格納する。
【００２８】
ボタン点灯色設定機構５は、ボタン操作可能情報記憶部１０からボタン操作可能情報を、ボタン点灯色対応情報記憶部１１からボタン点灯色対応情報をそれぞれ読み出し、両情報を元にボタン点灯色情報をボタン点灯色情報記憶部１２に格納する。
【００２９】
ボタン光点灯制御機構６は、ボタン点灯色情報記憶部１２からボタン点灯色情報を読み出し、ボタンライト７を点灯させる。
【００３０】
ボタンライト７は、ボタン光点灯制御機構６から通知されるボタン点灯色情報に従い、ボタン１を光点灯させる発光体である。
【００３１】
画面状態情報記憶部８は、画面状態制御機構３が現在の画面状態を格納する領域である。
【００３２】
ボタン操作対応情報記憶部９は、画面状態とボタン操作可能情報の対応表を格納する領域である。この対応表を図３に示す。
【００３３】
ボタン操作可能情報記憶部１０は、ボタン１が操作可能な情報を格納する領域である。
【００３４】
ボタン点灯色対応情報記憶部１１は、ボタン操作可能情報とボタン点灯色の対応表を格納する領域である。この対応表を図４に示す。
【００３５】
ボタン点灯色情報記憶部１２は、ボタン点灯色設定機構６がボタンライト７のボタン点灯色情報を格納する領域である。
【００３６】
上述した構成における携帯電話器の処理について図５を用いて説明する。
図５は、本実施形態にかかる携帯電話器の処理を示すフローチャートである。
図５は、一例として、画面状態Ｘにおいて、ボタン１が光点灯する動作である。
【００３７】
画面状態制御機構３は、現在の画面状態を画面状態情報記憶部８に記録する（ステップＳ１０１）。
本実施形態の場合、画面状態情報記憶部８には、「Ｘ」が記録される。
【００３８】
ボタン操作情報設定機構４は、画面状態情報記憶部８から画面状態を読み出す（ステップＳ１０２）。
【００３９】
ボタン操作情報設定機構４は、ボタン操作対応情報記憶部９から、画面状態とボタン操作可能情報の対応表を読み出す（ステップＳ１０３）。
【００４０】
ボタン操作情報設定機構４は、ステップＳ１０２の処理で、読み出した画面状態をキーとして、ステップＳ１０３の処理で、読み出した画面状態とボタン操作可能情報の対応表から、現在の画面状態に対応するボタン１の操作可能情報を参照し、ボタン操作可能情報記憶部１０に記録する（ステップＳ１０４）。
この場合、ボタン操作可能情報記憶部１０には「短押し・長押し」が記録される。
【００４１】
ボタン点灯色設定機構５は、ボタン操作可能情報記憶部１０からボタン操作可能情報を読み出す（ステップＳ１０５）。
【００４２】
ボタン点灯色設定機構５は、ボタン点灯色対応情報記憶部１１から、ボタン操作可能情報とボタン点灯色の対応表を読み出す（ステップＳ１０６）。
【００４３】
ボタン点灯色設定機構５は、ステップＳ１０５の処理で、読み出したボタン操作可能情報をキーとして、ステップＳ１０６の処理で、読み出したボタン操作可能情報とボタン点灯色の対応表から、現在のボタン操作可能情報に対応するボタン１のボタン点灯色を参照し、ボタン点灯色情報記憶部１２に記録する（ステップＳ１０７）。
この場合、ボタン点灯色情報記憶部１２には「Ａ」が記録される。
【００４４】
ボタン点灯色制御機構６は、ボタン点灯色情報記憶部１２からボタン点灯色を読み出す（ステップＳ１０８）。
【００４５】
ボタン点灯色制御機構６は、ステップＳ１０８の処理で、読み出したボタン点灯色に従い、ボタンライト７を光点灯させる（ステップＳ１０９）。
この場合、ボタンライト７は色「Ａ」に光点灯する。
【００４６】
ボタン押下監視機構２は、ボタン１が押下を監視する（ステップＳ１１０）。
【００４７】
ボタン押下監視機構２は、ボタン１の押下を検出しない場合（ステップＳ１１０／ＮＯ）、次の処理に進まない。
【００４８】
ボタン押下監視機構２は、ボタン１の押下を検出した場合（ステップＳ１１０／ＹＥＳ）、画面状態制御機構３にボタン１の押下情報を通知し、画面状態制御機構３は、画面状態情報記憶部８から現在の画面状態を読み出す（ステップＳ１１１）。
【００４９】
画面状態制御機構３は、ステップＳ１１０の処理にてボタン押下監視機構２から通知されたボタン１の押下情報と、ステップＳ１１１の処理にて読み出した現在の画面状態から、図１の状態遷移図に基づき、画面状態の変更有無を判定する（ステップＳ１１２）。
【００５０】
画面状態に変更があった場合（ステップＳ１１２／ＹＥＳ）、ステップＳ１０１の処理に戻る。
【００５１】
画面状態に変更がなかった場合は（ステップＳ１１２／ＮＯ）、ステップＳ１１０の処理に戻る。
【００５２】
本実施形態によれば、携帯機器のボタン操作において、長押しまたは短押し、もしくはその両方の操作が可能な状態になったときに、使用者に対して、ボタン自体の光点灯について発色を変えることによって、ボタンに対して可能な操作の種類を伝えることにより、携帯電話の操作性を向上させるだけでなく、操作経験のない使用者に対して、正しい操作を誘導させることが可能となる。
【００５３】
（第２の実施形態）
本実施形態にかかる携帯電話器において、「戻る」ボタンと「進む」ボタンが用意されたボタンの操作において、「戻る」ボタンと「進む」ボタンそれぞれのボタンを第１の実施形態と同様に、異なる色で光点灯させることにより、使用者のボタン入力を支援する。
【００５４】
本実施形態にかかる携帯電話器について説明する。
図６は、第２の実施形態にかかる携帯電話についての概念の一例を示す図である。
また、本実施形態では、一例として、戻りボタンをボタン３×３の９マスにおける１とし、進むボタンをボタン３×３の９マスにおける３とするが、これに限定されることはなく、ボタン１のみに関して、短押しならば、戻り、長押しならば、進むという態様も考えられる。
また、本実施形態では、一例として、第１の実施形態と同様に、短押し・長押しの両方が可能である場合には発光色Ａを発光し、短押しのみが可能の場合に発光色Ｂとし、長押しのみが可能である場合には、発光色Ｃとする。
本実施形態における処理では、第１の実施形態と異なる処理のみ説明し、それ以外の処理は、第１の実施形態（図５の処理）と同様とする。
【００５５】
本実施形態にかかる携帯電話機の構成においては、第１の実施形態にかかる携帯電話機にかかる構成と同様であり、図２の構成を有する。
【００５６】
図６に示すように、画面状態１の状態から進むボタンを短押しすると、画面状態１から画面状態２に進む。
【００５７】
画面状態１の状態から進むボタン３を長押しすると、画面状態１から画面状態３に進む。
【００５８】
進むボタン３を長押しすると、画面状態１から画面状態３に進む。
【００５９】
画面状態３の状態から戻るボタンを短押しすると、画面状態３から画面状態２に戻る。
【００６０】
画面状態３の状態から戻るボタンを長押しすると、画面状態３から画面状態１に戻る。
【００６１】
ユーザによってボタンが押下された場合に、ボタン押下監視機構２は、ボタン押下を検出する。
【００６２】
ボタン押下監視機構２によってボタン押下検出後、画面遷移状態制御機構３は、長押し、短押しに対応した画像状態に移行するように、画面遷移手段を制御する。
【００６３】
画面状態の遷移が行なわれた際に、戻るボタン１、進むボタン３のそれぞれが長押しが可能か、短押しが可能か、それとも、この両方が可能かを第１の実施形態と同様の処理で、短押し・長押しの両方が可能である場合には発光色Ａを発光し、短押しのみが可能の場合に発光色Ｂとし、長押しのみが可能である場合には、発光色Ｃとする。
【００６４】
本実施形態の処理では、第１の実施形態で参照した図３に示すように、ボタン操作情報設定機構４によって、ボタン操作可能情報をボタン操作可能情報記憶部１０に設定する場合において、戻りボタン、進むボタン、それぞれ個別に画面状態に対応つけしてボタン操作可能情報を設定する。本実施形態では、画像状態Ｘ、Ｙ、Ｚではなく、画像状態１から５である。これに対応した情報を格納する。
【００６５】
本実施形態の処理では、第１の実施形態で参照した図４に示すように、ボタン点灯色設定機構５によって、ボタン操作可能情報と、ボタン点灯色とをボタン点灯色情報記憶部１２に設定する場合において、戻りボタン、進むボタン、それぞれ個別にボタン操作可能情報に対応つけして点灯色を設定する。
【００６６】
このように、本実施形態によれば、画面状態と、ボタン操作とを対応付けし、操作可能なボタンを点灯することによって、正しい操作が可能となる。
【００６７】
また、本発明によれば、画面状態の遷移が行なわれた際に、ボタンが長押しが可能か、短押しが可能か、それとも、この両方が可能かを対応した色で発光することにより、ユーザは、どの操作が可能で、不可能なのかを知ること事前に知ることができ、機器の操作性、利便性を向上させることができる。
【００６８】
また、第１、第２の実施形態の処理を利用し、ボタン１に発光させる処理において、ボタン操作可能情報に開始、終了、および開始／終了を加えることも可能である。
【産業上の利用可能性】
【００６９】
本発明にかかる入力支援方法および入力支援プログラムは、ボタン、スイッチ等の操作手段を有する携帯機器であれば、どのような機器でも適用可能となる。これは、上述した第１、第２の実施形態にかかる携帯電話に限定されることはないという解釈である。
【図面の簡単な説明】
【００７０】
【図１】第１の実施形態にかかる携帯電話器の概念を示す図である。
【図２】第１の実施形態にかかる携帯電話器の処理と、データの流れを示す図である。
【図３】第１の実施形態にかかる携帯電話器の画面状態と、ボタン操作可能情報との対応関係を示す図である。
【図４】第１の実施形態にかかる携帯電話器のボタン操作可能情報と、ボタン点灯色との対応関係を示す図である。
【図５】第１の実施形態にかかる携帯電話器の処理を示すフローチャート図である。
【図６】第２の実施形態にかかる携帯電話器の概念の一例を示す図である。
【符号の説明】
【００７１】
１    ボタン
２    ボタン押下監視機構（検出手段）
３    画面状態制御機構（画面状態制御手段）
４    ボタン操作情報設定機構（ボタン操作情報設定手段）
５    ボタン点灯色設定機構（点灯色設定手段）
６    ボタン光点灯制御機構（点灯制御手段）
７    ボタンライト（点灯手段）
８    画面状態情報記憶部（画面状態情報記憶手段）
９    ボタン操作対応情報記憶部（ボタン操作対応情報記憶手段）
１０    ボタン操作可能情報記憶部（ボタン操作可能情報記憶手段）
１１    ボタン点灯色対応情報記憶部
１２    ボタン点灯色情報記憶部
【図１】
2009118384.tif 000003
【図２】
2009118384.tif 000004
【図３】
2009118384.tif 000005
【図４】
2009118384.tif 000006
【図５】
2009118384.tif 000007
【図６】
2009118384.tif 000008